(57)【特許請求の範囲】
【請求項１】
原稿を読み取り画像信号に変換する複数の画像読み取り装置および画像信号に基づいて記録媒体に画像形成する複数の画像形成装置と所定の通信媒体を介して通信可能であり、前記いずれかの画像読み取り装置から転送される画像信号を前記いずれかの画像形成装置に転送可能な画像情報処理装置において、
前記複数の画像読み取り装置および／または前記複数の画像形成装置の内部に画像信号と特定画像との比較を行い該比較結果を出力する判定手段を有するか否かの判定手段有無情報を、画像信号転送前に、前記各画像読み取り装置および／または各画像形成装置から取得する取得手段と、
前記取得手段により取得した判定手段有無情報に基づいて、デバイス情報テーブルを生成する生成手段と、
前記生成手段によって生成されたデバイス情報テーブルに基づき、前記いずれかの画像読み取り装置から転送された画像信号の転送先を制御する制御手段とを有し、
前記制御手段は、前記デバイス情報テーブルに基づいて、前記判定手段を有しない画像読み取り装置から転送された画像信号の転送先を前記判定手段を有する画像形成装置に制限することを特徴とする画像情報処理装置。
【請求項２】
前記制御手段は、前記判定手段を有する画像読み取り装置または画像形成装置から画像信号と特定画像とが所定の一致度を超える比較結果が出力された場合、警告を表示する警告手段を設けたことを特徴とする請求項１記載の画像情報処理装置。
【請求項３】
原稿を読み取り画像信号に変換する複数の画像読み取り装置および画像信号に基づいて記録媒体に画像形成する複数の画像形成装置と所定の通信媒体を介して通信可能であり、前記いずれかの画像読み取り装置から転送される画像信号を前記いずれかの画像形成装置に転送可能な画像情報処理装置において、
前記複数の画像読み取り装置および／または前記複数の画像形成装置の内部に画像信号と特定画像との比較を行い該比較結果を出力する判定手段を有するか否かの判定手段有無情報を、画像信号転送前に、前記各画像読み取り装置および／または各画像形成装置から取得する取得手段と、
前記取得手段により取得した判定手段有無情報に基づいて、デバイス情報テーブルを生成する生成手段と、
前記生成手段によって生成されたデバイス情報テーブルに基づき、画像信号を入力する画像読み取り装置および画像信号を出力する画像形成装置を選択するための選択画面の表示状態を制御する制御手段とを有し、
前記制御手段は、前記デバイス情報テーブルに基づいて、前記判定手段を有しない画像読み取り装置が選択されている場合、前記判定手段を有する画像形成装置のみを選択可能とするように前記選択画面の表示状態を制御することを特徴とする画像情報処理装置。
【請求項４】
原稿を読み取り画像信号に変換する複数の画像読み取り装置および画像信号に基づいて記録媒体に画像形成する複数の画像形成装置と所定の通信媒体を介して通信可能であり、前記いずれかの画像読み取り装置から転送される画像信号を前記いずれかの画像形成装置に転送可能な画像情報処理装置において、
前記複数の画像読み取り装置および／または前記複数の画像形成装置の内部に画像信号と特定画像との比較を行い該比較結果を出力する判定手段を有するか否かの判定手段有無情報を、画像信号転送前に、前記各画像読み取り装置および／または各画像形成装置から取得する取得手段と、
前記取得手段により取得した判定手段有無情報に基づいて、デバイス情報テーブルを生成する生成手段と、
前記生成手段によって生成されたデバイス情報テーブルに基づき、画像信号を入力する画像読み取り装置および画像信号を出力する画像形成装置を選択するための選択画面の表示状態を制御する制御手段とを有し、
前記制御手段は、前記デバイス情報テーブルに基づいて、前記判定手段を有する画像読み取り装置が選択されている場合、任意の画像形成装置を選択可能とするように前記選択画面の表示状態を制御することを特徴とする画像情報処理装置。
【請求項５】
原稿を読み取り画像信号に変換する複数の画像読み取り装置および画像信号に基づいて記録媒体に画像形成する複数の画像形成装置と所定の通信媒体を介して通信可能であり、前記いずれかの画像読み取り装置から転送される画像信号を前記いずれかの画像形成装置に転送可能な画像情報処理装置の制御方法において、前記複数の画像読み取り装置および／または前記複数の画像形成装置の内部に画像データ信号と特定画像との比較を行い該比較結果を出力する判定手段を有するか否かの判定手段有無情報を、画像信号転送前に、前記各画像読み取り装置および／または各画像形成装置から取得する取得工程と、
該取得した判定手段有無情報に基づいて、デバイス情報テーブルを生成する生成工程と、
前記生成工程によって生成されたデバイス情報テーブルに基づき、前記いずれかの画像読み取り装置から転送された画像信号の転送先を前記判定手段を有する画像形成装置のみに制限する転送工程とを有し、
前記転送工程は、前記デバイス情報テーブルに基づいて、前記判定手段を有しない画像読み取り装置から転送された画像信号の転送先を前記判定手段を有する画像形成装置に制限することを特徴とする画像情報処理装置の制御方法。
【請求項６】
原稿を読み取り画像信号に変換する複数の画像読み取り装置および画像信号に基づいて記録媒体に画像形成する複数の画像形成装置と所定の通信媒体を介して通信可能であり、前記いずれかの画像読み取り装置から転送される画像信号を前記いずれかの画像形成装置に転送可能な画像情報処理装置の制御方法において、
前記複数の画像読み取り装置および／または前記複数の画像形成装置の内部に画像データ信号と特定画像との比較を行い該比較結果を出力する判定手段を有するか否かの判定手段有無情報を、画像信号転送前に、前記各画像読み取り装置および／または各画像形成装置から取得する取得工程と、
該取得した判定手段有無情報に基づいて、デバイス情報テーブルを生成する生成工程と、
前記生成工程によって生成されたデバイス情報テーブルに基づき、画像信号を入力する画像読み取り装置および画像信号を出力する画像形成装置を選択するための選択画面の表示状態を変更表示する表示工程とを有し、
前記表示工程は、前記デバイス情報テーブルに基づいて、前記判定手段を有しない画像読み取り装置が選択されている場合、前記判定手段を有する画像形成装置のみを選択可能とするように前記選択画面の表示状態を制御することを特徴とする画像情報処理装置の制御方法。
【請求項７】
原稿を読み取り画像信号に変換する複数の画像読み取り装置および画像信号に基づいて記録媒体に画像形成する複数の画像形成装置と所定の通信媒体を介して通信可能であり、前記いずれかの画像読み取り装置から転送される画像信号を前記いずれかの画像形成装置に転送可能な画像情報処理装置の制御方法において、
前記複数の画像読み取り装置および／または前記複数の画像形成装置の内部に画像データ信号と特定画像との比較を行い該比較結果を出力する判定手段を有するか否かの判定手段有無情報を、画像信号転送前に、前記各画像読み取り装置および／または各画像形成装置から取得する取得工程と、
該取得した判定手段有無情報に基づいて、デバイス情報テーブルを生成する生成工程と、
前記生成工程によって生成されたデバイス情報テーブルに基づき、画像信号を入力する画像読み取り装置および画像信号を出力する画像形成装置を選択するための選択画面の表示状態を制御する表示工程とを有し、
前記表示工程は、前記デバイス情報テーブルに基づいて、前記判定手段を有する画像読み取り装置が選択されている場合、任意の画像形成装置を選択可能とするように前記選択画面の表示状態を制御することを特徴とする画像情報処理装置の制御方法。
【請求項８】
原稿を読み取り画像信号に変換する複数の画像読み取り装置および画像信号に基づいて記録媒体に画像形成する複数の画像形成装置と所定の通信媒体を介して通信可能であり、前記いずれかの画像読み取り装置から転送される画像信号を前記いずれかの画像形成装置に転送可能な画像情報処理装置に、
前記複数の画像読み取り装置および／または前記複数の画像形成装置の内部に画像データ信号と特定画像との比較を行い該比較結果を出力する判定手段を有するか否かの判定手段有無情報を、画像信号転送前に、前記各画像読み取り装置および／または各画像形成装置から取得する取得工程と、
該取得した判定手段有無情報に基づいて、デバイス情報テーブルを生成する生成工程と、
前記生成工程によって生成されたデバイス情報テーブルに基づき、前記いずれかの画像読み取り装置から転送された画像信号の転送先を前記判定手段を有する画像形成装置のみに制限する転送工程とを実行させるためのものであり、
前記転送工程は、前記デバイス情報テーブルに基づいて、前記判定手段を有しない画像読み取り装置から転送された画像信号の転送先を前記判定手段を有する画像形成装置に制限することを特徴とするプログラムをコンピュータが読み取り可能に記憶した記憶媒体。
【請求項９】
原稿を読み取り画像信号に変換する複数の画像読み取り装置および画像信号に基づいて記録媒体に画像形成する複数の画像形成装置と所定の通信媒体を介して通信可能であり、前記いずれかの画像読み取り装置から転送される画像信号を前記いずれかの画像形成装置に転送可能な画像情報処理装置に、
前記複数の画像読み取り装置および／または前記複数の画像形成装置の内部に画像データ信号と特定画像との比較を行い該比較結果を出力する判定手段を有するか否かの判定手段有無情報を、画像信号転送前に、前記各画像読み取り装置および／または各画像形成装置から取得する取得工程と、
該取得した判定手段有無情報に基づいて、デバイス情報テーブルを生成する生成工程と、
前記生成工程によって生成されたデバイス情報テーブルに基づき、画像信号を入力する画像読み取り装置および画像信号を出力する画像形成装置を選択するための選択画面の表示状態を変更表示する表示工程とを実行させるためのものであり、
前記表示工程は、前記デバイス情報テーブルに基づいて、前記判定手段を有しない画像読み取り装置が選択されている場合、前記判定手段を有する画像形成装置のみを選択可能とするように前記選択画面の表示状態を制御することを特徴とするプログラムをコンピュータが読み取り可能に記憶した記憶媒体。
【請求項１０】
原稿を読み取り画像信号に変換する複数の画像読み取り装置および画像信号に基づいて記録媒体に画像形成する複数の画像形成装置と所定の通信媒体を介して通信可能であり、前記いずれかの画像読み取り装置から転送される画像信号を前記いずれかの画像形成装置に転送可能な画像情報処理装置に、
前記複数の画像読み取り装置および／または前記複数の画像形成装置の内部に画像データ信号と特定画像との比較を行い該比較結果を出力する判定手段を有するか否かの判定手段有無情報を、画像信号転送前に、前記各画像読み取り装置および／または各画像形成装置から取得する取得工程と、
該取得した判定手段有無情報に基づいて、デバイス情報テーブルを生成する生成工程と、
前記生成工程によって生成されたデバイス情報テーブルに基づき、画像信号を入力する画像読み取り装置および画像信号を出力する画像形成装置を選択するための選択画面の表示状態を制御する表示工程とを実行させるためのものであり、
前記表示工程は、前記デバイス情報テーブルに基づいて、前記判定手段を有する画像読み取り装置が選択されている場合、任意の画像形成装置を選択可能とするように前記選択画面の表示状態を制御することを特徴とするプログラムをコンピュータが読み取り可能に記憶した記憶媒体。
【発明の詳細な説明】
【０００１】
【発明の属する技術分野】
本発明は、原稿を読み取り画像信号に変換する複数の画像読み取り装置および画像信号に基づいて記録媒体に画像形成する複数の画像形成装置と所定の通信媒体を介して通信可能であり、前記いずれかの画像読み取り装置から転送される画像信号を前記いずれかの画像形成装置に転送可能な画像情報処理装置および画像読み取り装置および画像形成装置および画像情報処理装置の制御方法および記憶媒体に関するものである。
【０００２】
【従来の技術】
近年、ＣＣＤなどを用いたカラー画像読み取り装置（以下、カラースキャナ）、ならびにカラープリンタの性能が向上したため、紙幣や有価証券などの複製禁止対象の原稿をカラー画像読み取り装置で画像データとして読み取り、カラープリンタに出力することで、複製禁止対象の原稿が複製して偽造される危険性が高くなってきている。
【０００３】
このような偽造を防ぐために、カラースキャナとカラープリンタを組み合わせた構成であるカラー複写機では、複製禁止原稿を認識して複写を禁止する偽造防止装置が組み込まれることが多くなってきている。
【０００４】
【発明が解決しようとする課題】
しかしながら、カラースキャナとプリンタが一体型でない場合に仲介にパーソナルコンピュータ（以下、ＰＣ）を設けてカラー複写機と同等の機能が提供されているにも関わらず、偽造防止装置の組み込まれている機器はほとんどない。
【０００５】
また、スキャナとプリンタのどちらかに偽造防止装置を搭載する場合にはコストアップが問題となる。
【０００６】
さらに、複製禁止対象とする原稿の種類も多いため、複製禁止原稿かどうかの判定に要する負荷も大きく処理速度の低下という問題がある。
【０００７】
また、読み取りのカラースキャナと出力のプリンタとがネットワーク経由で接続されている形態でカラーコピーを行う場合にはスキャナあるいはプリンタのどちらかで偽造防止判定が行われたどうかわからず、ネットワークシステムとしての偽造防止機能の提供が困難であるという問題点があった。
【０００８】
本発明は、上記の問題点を解決するためになされたもので、本発明の目的は、ネットワークを介して、スキャナから読み込んだ画像をプリンタで出力するスキャン−プリント動作を行う場合に、各装置に判定回路が内蔵されているかどうかに応じて出力先を画像データコントローラが制御して、優れた偽造抑止機能を有する画像処理システムを安価に構築する画像情報処理装置および画像読み取り装置および画像形成装置および画像情報処理装置の制御方法および記憶媒体を提供することである。
【０００９】
【課題を解決するための手段】
本発明に係る第１の発明は、原稿を読み取り画像信号に変換する複数の画像読み取り装置（図１に示すスキャナ１０１，１０３）および画像信号に基づいて記録媒体に画像形成する複数の画像形成装置（図１に示すプリンタ１０２，１０４）と所定の通信媒体を介して通信可能であり、前記いずれかの画像読み取り装置から転送される画像信号を前記いずれかの画像形成装置に転送可能な画像情報処理装置（図１に示す画像データコントローラ１００）において、前記複数の画像読み取り装置および／または前記複数の画像形成装置の内部に画像信号と特定画像との比較を行い該比較結果を出力する判定手段（図２に示す画像比較回路２０４，特定画像メモリ２０５，図４に示す画像比較回路９１３，特定画像メモリ９１４）を有するか否かの判定手段有無情報を、画像信号転送前に、前記各画像読み取り装置および／または各画像形成装置から取得する取得手段（図３に示すＣＰＵ３０１が取得処理する）と、前記取得手段により取得した判定手段有無情報に基づいて、デバイス情報テーブルを生成する生成手段と、前記生成手段によって生成されたデバイス情報テーブルに基づき、前記いずれかの画像読み取り装置から転送された画像信号の転送先を制御する制御手段（図３に示すＣＰＵ３０１が転送制御する）とを有し、前記制御手段は、前記デバイス情報テーブルに基づいて、前記判定手段を有しない画像読み取り装置から転送された画像信号の転送先を前記判定手段を有する画像形成装置に制限するものである。
【００１１】
本発明に係る第２の発明は、前記制御手段は、前記判定手段を有する画像読み取り装置または画像形成装置から画像信号と特定画像とが所定の一致度を超える比較結果が出力された場合、警告を表示する警告手段（図３に示すＣＰＵ３０１がディスプレイ３１１に図８，図１０に示す警告画面を表示する）を設けたものである。
【００１２】
本発明に係る第３の発明は、原稿を読み取り画像信号に変換する複数の画像読み取り装置（図１に示すスキャナ１０１，１０３）および画像信号に基づいて記録媒体に画像形成する複数の画像形成装置（図１に示すプリンタ１０２，１０４）と所定の通信媒体を介して通信可能であり、前記いずれかの画像読み取り装置から転送される画像信号を前記いずれかの画像形成装置に転送可能な画像情報処理装置（図１に示す画像データコントローラ１００）において、前記複数の画像読み取り装置および／または前記複数の画像形成装置の内部に画像信号と特定画像との比較を行い該比較結果を出力する判定手段（図２に示す画像比較回路２０４，特定画像メモリ２０５，図４に示す画像比較回路９１３，特定画像メモリ９１４）を有するか否かの判定手段有無情報を、画像信号転送前に、前記各画像読み取り装置および／または各画像形成装置から取得する取得手段（図３に示すＣＰＵ３０１が取得処理する）と、前記取得手段により取得した判定手段有無情報に基づいて、デバイス情報テーブルを生成する生成手段と、前記生成手段によって生成されたデバイス情報テーブルに基づき、画像信号を入力する画像読み取り装置および画像信号を出力する画像形成装置を選択するための選択画面の表示状態を制御する制御手段（図３に示すＣＰＵ３０１がディスプレイ３１１に表示されるスキヤン−プリントジョブ選択表示画面の表示状態を図１１，図１２，図１３のように制御する）とを有し、前記制御手段は、前記デバイス情報テーブルに基づいて、前記判定手段を有しない画像読み取り装置が選択されている場合、前記判定手段を有する画像形成装置のみを選択可能とするように前記選択画面の表示状態を制御するものである。
【００１４】
本発明に係る第４の発明は、原稿を読み取り画像信号に変換する複数の画像読み取り装置および画像信号に基づいて記録媒体に画像形成する複数の画像形成装置と所定の通信媒体を介して通信可能であり、前記いずれかの画像読み取り装置から転送される画像信号を前記いずれかの画像形成装置に転送可能な画像情報処理装置において、前記複数の画像読み取り装置および／または前記複数の画像形成装置の内部に画像信号と特定画像との比較を行い該比較結果を出力する判定手段を有するか否かの判定手段有無情報を、画像信号転送前に、前記各画像読み取り装置および／または各画像形成装置から取得する取得手段と、前記取得手段により取得した判定手段有無情報に基づいて、デバイス情報テーブルを生成する生成手段と、前記生成手段によって生成されたデバイス情報テーブルに基づき、画像信号を入力する画像読み取り装置および画像信号を出力する画像形成装置を選択するための選択画面の表示状態を制御する制御手段とを有し、前記制御手段は、前記取得手段により取得した判定手段有無情報に基づいて、前記判定手段を有する画像読み取り装置が選択されている場合、任意の画像形成装置を選択可能とするように前記選択画面の表示状態を制御（スキヤン−プリントジョブ選択表示画面の表示状態を図１２のように制御する）するものである。
【００１７】
本発明に係る第５の発明は、原稿を読み取り画像信号に変換する複数の画像読み取り装置および画像信号に基づいて記録媒体に画像形成する複数の画像形成装置と所定の通信媒体を介して通信可能であり、前記いずれかの画像読み取り装置から転送される画像信号を前記いずれかの画像形成装置に転送可能な画像情報処理装置の制御方法において、前記複数の画像読み取り装置および／または前記複数の画像形成装置の内部に画像データ信号と特定画像との比較を行い該比較結果を出力する判定手段を有するか否かの判定手段有無情報を、画像信号転送前に、前記各画像読み取り装置および／または各画像形成装置から取得する取得工程（図５のステップＳ１１０１）と、該取得した判定手段有無情報に基づいて、デバイス情報テーブルを生成する生成工程と、前記生成工程によって生成されたデバイス情報テーブルに基づき、前記いずれかの画像読み取り装置から転送された画像信号の転送先を前記判定手段を有する画像形成装置のみに制限する転送工程（図９のステップＳ６０３）とを有し、前記転送工程は、前記デバイス情報テーブルに基づいて、前記判定手段を有しない画像読み取り装置から転送された画像信号の転送先を前記判定手段を有する画像形成装置に制限するものである。
【００１８】
本発明に係る第６の発明は、原稿を読み取り画像信号に変換する複数の画像読み取り装置および画像信号に基づいて記録媒体に画像形成する複数の画像形成装置と所定の通信媒体を介して通信可能であり、前記いずれかの画像読み取り装置から転送される画像信号を前記いずれかの画像形成装置に転送可能な画像情報処理装置の制御方法において、前記複数の画像読み取り装置および／または前記複数の画像形成装置の内部に画像データ信号と特定画像との比較を行い該比較結果を出力する判定手段を有するか否かの判定手段有無情報を、画像信号転送前に、前記各画像読み取り装置および／または各画像形成装置から取得する取得工程（図５のステップＳ１１０１）と、該取得した判定手段有無情報に基づいて、デバイス情報テーブルを生成する生成工程と、前記生成工程によって生成されたデバイス情報テーブルに基づき、画像信号を入力する画像読み取り装置および画像信号を出力する画像形成装置を選択するための選択画面の表示状態を変更表示する表示工程（図１４のステップＳ９０３〜Ｓ９０５）とを有し、前記表示工程は、前記デバイス情報テーブルに基づいて、前記判定手段を有しない画像読み取り装置が選択されている場合、前記判定手段を有する画像形成装置のみを選択可能とするように前記選択画面の表示状態を制御するものである。
本発明に係る第７の発明は、原稿を読み取り画像信号に変換する複数の画像読み取り装置および画像信号に基づいて記録媒体に画像形成する複数の画像形成装置と所定の通信媒体を介して通信可能であり、前記いずれかの画像読み取り装置から転送される画像信号を前記いずれかの画像形成装置に転送可能な画像情報処理装置の制御方法において、前記複数の画像読み取り装置および／または前記複数の画像形成装置の内部に画像データ信号と特定画像との比較を行い該比較結果を出力する判定手段を有するか否かの判定手段有無情報を、画像信号転送前に、前記各画像読み取り装置および／または各画像形成装置から取得する取得工程と、該取得した判定手段有無情報に基づいて、デバイス情報テーブルを生成する生成工程と、前記生成工程によって生成されたデバイス情報テーブルに基づき、画像信号を入力する画像読み取り装置および画像信号を出力する画像形成装置を選択するための選択画面の表示状態を制御する表示工程とを有し、前記表示工程は、前記デバイス情報テーブルに基づいて、前記判定手段を有する画像読み取り装置が選択されている場合、任意の画像形成装置を選択可能とするように前記選択画面の表示状態を制御するものである。
【００１９】
本発明に係る第８の発明は、原稿を読み取り画像信号に変換する複数の画像読み取り装置および画像信号に基づいて記録媒体に画像形成する複数の画像形成装置と所定の通信媒体を介して通信可能であり、前記いずれかの画像読み取り装置から転送される画像信号を前記いずれかの画像形成装置に転送可能な画像情報処理装置に、前記複数の画像読み取り装置および／または前記複数の画像形成装置の内部に画像データ信号と特定画像との比較を行い該比較結果を出力する判定手段を有するか否かの判定手段有無情報を、画像信号転送前に、前記各画像読み取り装置および／または各画像形成装置から取得する取得工程（図５のステップＳ１１０１）と、該取得した判定手段無情報に基づいて、デバイス情報テーブルを生成する生成工程と、前記生成工程によって生成されたデバイス情報テーブルに基づき、前記いずれかの画像読み取り装置から転送された画像信号の転送先を前記判定手段を有する画像形成装置のみに制限する転送工程（図９のステップＳ６０３）とを実行させるためのものであり、前記転送工程は、前記デバイス情報テーブルに基づいて、前記判定手段を有しない画像読み取り装置から転送された画像信号の転送先を前記判定手段を有する画像形成装置に制限することを特徴とするプログラムを記憶媒体にコンピュータが読み取り可能に記憶させたものである。
【００２０】
本発明に係る第９の発明は、原稿を読み取り画像信号に変換する複数の画像読み取り装置および画像信号に基づいて記録媒体に画像形成する複数の画像形成装置と所定の通信媒体を介して通信可能であり、前記いずれかの画像読み取り装置から転送される画像信号を前記いずれかの画像形成装置に転送可能な画像情報処理装置に、前記複数の画像読み取り装置および／または前記複数の画像形成装置の内部に画像データ信号と特定画像との比較を行い該比較結果を出力する判定手段を有するか否かの判定手段有無情報を、画像信号転送前に、前記各画像読み取り装置および／または各画像形成装置から取得する取得工程（図５のステップＳ１１０１）と、該取得した判定手段有無情報に基づいて、デバイス情報テーブルを生成する生成工程と、前記生成工程によって生成されたデバイス情報テーブルに基づき、画像信号を入力する画像読み取り装置および画像信号を出力する画像形成装置を選択するための選択画面の表示状態を変更表示する表示工程（図１４のステップＳ９０３〜Ｓ９０５）とを実行させるためのものであり、前記表示工程は、前記デバイス情報テーブルに基づいて、前記判定手段を有しない画像読み取り装置が選択されている場合、前記判定手段を有する画像形成装置のみを選択可能とするように前記選択画面の表示状態を制御することを特徴とするプログラムを記憶媒体にコンピュータが読み取り可能に記憶させたものである。
本発明に係る第１０の発明は、原稿を読み取り画像信号に変換する複数の画像読み取り装置および画像信号に基づいて記録媒体に画像形成する複数の画像形成装置と所定の通信媒体を介して通信可能であり、前記いずれかの画像読み取り装置から転送される画像信号を前記いずれかの画像形成装置に転送可能な画像情報処理装置に、前記複数の画像読み取り装置および／または前記複数の画像形成装置の内部に画像データ信号と特定画像との比較を行い該比較結果を出力する判定手段を有するか否かの判定手段有無情報を、画像信号転送前に、前記各画像読み取り装置および／または各画像形成装置から取得する取得工程と、該取得した判定手段有無情報に基づいて、デバイス情報テーブルを生成する生成工程と、前記生成工程によって生成されたデバイス情報テーブルに基づき、画像信号を入力する画像読み取り装置および画像信号を出力する画像形成装置を選択するための選択画面の表示状態を制御する表示工程とを実行させるためのものであり、前記表示工程は、前記デバイス情報テーブルに基づいて、前記判定手段を有する画像読み取り装置が選択されている場合、任意の画像形成装置を選択可能とするように前記選択画面の表示状態を制御することを特徴とするプログラムを記憶媒体にコンピュータが読み取り可能に記憶させたものである。
【００２１】
【発明の実施の形態】
〔第１実施形態〕
図１は、本発明の画像情報処理装置および画像読み取り装置および画像形成装置を適用可能な画像処理システムの構成を説明する図である。
【００２２】
図において、１００は画像データコントローラ、例えばパーソナルコンピュータやワークステーションで、画像データの入出力制御を行う。ｌ０１，１０３は各々スキャナで、原稿を読み取り、画像信号に変換する。ｌ０２，１０４は各々プリンタで、画像信号をプリント出力する。
【００２３】
なお、スキャナ１０１及びプリンタ１０２は、各々偽造防止判定回路が内蔵されており、スキャナｌ０３及びプリンタ１０４は内蔵されていない。
【００２４】
また、図１では、スキャナ１０１は直接、スキャナ１０３はスキャナ１０１を介して、プリンタｌ０２は直接、プリンタ１０４はプリンタｌ０２を介して、画像データコントローラ１００とそれぞれ通信可能に接続されている。
【００２５】
次に、それぞれの内部構成についてブロック図を用いて説明する。
【００２６】
図２は、図１に示したスキャナ１０１の構成を説明するブロック図である。
【００２７】
図において、２０１はＣＰＵで、ＲＯＭ２０７又は図示しないその他の記憶媒体に格納されたプログラムに基づいてスキャナ全体の制御を行い、画像信号処理回路の制御や図示していない読み取りのための光学系およびメカ制御を行うものである。２０８はＲＡＭで、ＣＰＵ２０１の作業領域として使用される。
【００２８】
２０２はＣＣＤイメージセンサ（以下、ＣＣＤ）で、原稿を電気信号に変換する。２０３は画像補正処理回路である。ここで行われる画像補正処理は原稿の中央部と端部とでの配光のばらつきを補正するためのシェーディング補正回路、ＣＣＤ固有の色変換特性を標準の色空間に変換する色空間変換処理回路である。
【００２９】
２０４は画像比較回路で、読み取られた画像データと特定画像メモリ２０５に格納された特定画像データ（例えば、紙幣や有価証券などの複製禁止対象原稿のの電子的な画像データ）との一致度を判定する。特定画像メモリ２０５は、画像比較を行うために特定画像データを格納するためのものである。
【００３０】
２０６は画像ネットワークインタフェースで、図１の画像データコントローラ１００にデータを転送するためのものである。この画像ネットワークインタフェース２０６により、画像比較回路２０４の判定結果と画像データとが転送される。
【００３１】
一方、図１に示したスキャナｌ０３は、図２のブロック図において特定画像メモリ２０５と画像比較回路２０４が省かれたものである。
【００３２】
図３は、図１に示した画像データコントローラ１００の構成を示すブロック図である。
【００３３】
図において、３０１は前記画像データコントローラ１００上のＣＰＵで、スキャナ１０１，１０３やプリンタ１０２，１０４とのデータの入出力制御を行う。
【００３４】
３０２はＣＰＵのデータバスで、そのバスには後述するカードバスコントローラ３０４，ＲＯＭ３０５，ＲＡＭ３０６，ハードディスクコントローラ３０７，キーボードコントローラ３１３，ディスプレイコントローラ３１０が接続される。
【００３５】
カードバスコントローラ３０４は、画像データコントローラ１００に機能を追加するための機能ボードを装着するためのカードバス３０３の制御を行うものである。ＲＯＭ３０５は、画像データコントローラ１００の制御ソフトが納められているプログラムメモリである。ＲＡＭ３０６は、ＤＲＡＭあるいはＳＲＡＭで構成されて、通常プログラム用のワークエリアとして使用されたり、画像データメモリとしての利用も可能となっている。
【００３６】
ハードディスクコントローラ３０７は、ハードディスク３１２の読み書き制御を行うものである。ハードディスク３１２は、画像データ蓄積用、プログラムソフト格納用に用いられるものであり、画像データ蓄積時にはハードディスクコントローラ３０７にてデータ圧縮、及び読み出し時にはデータ伸長も行う。
【００３７】
次に、カードバス３０３に接続された各機能ボードについての説明を行う。
【００３８】
ネットワークインタフェースカード３０８は図示していないネットワーク用のインタフェースを行うものである。イーサネット（Ｅｔｈｅｒｎｅｔ），トークンリング（ｔｏｋｅｎ−ｒｉｎｇ）等、ネットワークを構築する物理インタフェースに対して対応するカードをインストールできる構成である。
【００３９】
画像ネットワークインタフェースカード３０９は、図１に示したスキャナ１０１，１０３，プリンタ１０２，１０４、と画像データコントローラ１００との画像データの受け渡しを行うネットワーク用のインタフェースを行うものである。この画像ネットワークについては大量の画像データ転送を行う事ができる高速バスで構成される必要がある。
【００４０】
次に、ディスプレイコントローラ３１０は、表示用のディスプレイ３１１への出力を制御する。キーボードコントローラ３１３は、キーボード３１４，不図示のマウス，トラックボール等のポインティングデバイス等からの入力を制御する。
【００４１】
なお、この画像処理システムでは、ユーザがディスプレイ３１１の表示を見ながらキーボード３１４や図示していないマウス等のポインティングデバイスを用いて原稿読み取りあるいはプリントの動作指示を行うものである。
【００４２】
図４は、図１に示したプリンタ１０２の構成を示すブロック図である。
【００４３】
図において、９０ｌはＣＰＵで、プリンタのメカトロ制御，ビットマップデータ受信などプリンタ内のすべての制御を行う。９０２はメモリ（ＲＯＭ）で、ＣＰＵ９０１のプログラムが格納されている。９０３はＲＡＭで、ＣＰＵ９０ｌの作業領域として使用される。９０４は前記ＣＰＵ９０１のＣＰＵアドレス，データバスである。
【００４４】
９０５はＩＥＥＥ１３９４リンクコントローラで、画像ネットワーク１００１とのインタフェースを行う。９０６はＩＥＥＥ１３９４物理インタフェース、９０７はＩＥＥＥ１３９４のコネタタ、９０８はアイソクロナス転送によって転送された画像データ及び付加された判定情報を一時的に格納するためのファストインファストアウトメモリ（以下、ＦＩＦＯ）、９０９はプリンタエンジンの動作タイミングに合わせてＦＩＦＯ９０８から上記データの読み出し制御を行うビデオデータコントローラである。ここで、付加情報（画像データに付加された判定情報）は画像データから切り出されてＲＡＭ９０３に転送され、画像データ（ビットマップデータ）はレーザードライバ９１０に転送される。
【００４５】
レーザードライバ９１０は、プリントを行うためのものであり、９１１はエンジンコントローラで、プリンタエンジン９１２のモータ制御，給紙制御などのメカトロ制御を行う。
【００４６】
また、９１３は画像比較回路で、プリンタヘの入力画像データと特定画像メモリ９１４に格納された特定画像データ（例えば、紙幣や有価証券などの複製禁止対象原稿の電子的な画像データ）との一致度を判定するためのものである。特定画像メモリ９１４は、画像比較を行うために特定画像データを格納するためのメモリである。
【００４７】
なお、プリンタ１０４は、図４において特定画像メモリ９１４と画像比較回路９１３が省略されたものである。
【００４８】
また、図１〜図４では、スキャナ１０１，１０３，プリンタｌ０２，１０４は、画像データコントローラ１００と画像ネットワークを介して通信可能に接続されている場合について示したが、各機器がＥｔｈｅｒｎｅｔ等の通常のネットワークを介して通信可能に接続されるように構成してもよいし、ＵＳＢ，セントロニクス，ＳＣＣＩ等のインタフェースを介して接続されるように構成してもよい。
【００４９】
以下、図５〜図１０を参照して、本発明の画像情報処理装置および画像読み取り装置および画像形成装置を適用可能な画像処理システムの動作について説明する。
【００５０】
まず、図１に示した画像データコントローラ１００によるネットワーク上のスキャナ，プリンタが偽造防止判定回路を内蔵しているかどうかの確認手順について説明する。
【００５１】
図５は、本発明の画像情報処理装置および画像読み取り装置および画像形成装置を適用可能な画像処理システムにおける第１の制御処理手順の一例を示すフローチャートであり、図１に示した画像データコントローラ１００によるネットワーク上のスキャナ，プリンタが偽造防止判定回路を内蔵しているかどうかの確認手順に対応し、図３に示したＣＰＵ３０１がＲＯＭ３０５又はハードディスク３１２又は図示しないその他の記憶媒体に格納されたプログラムに基づいて実行するものとする。なお、Ｓ１１０１，Ｓ１１０２は各ステップを示す。
【００５２】
ステップＳｌ１０１において、画像データコントローラ１００はネットワーク上に接続されたデバイス（スキャナ１０１，１０３及びプリンタ１０２，１０４）に対して情報収集を行う。この時画像データコントローラ１００は上記各デバイス（スキャナ１０１，１０３，プリンタ１０２，１０４）に対して、偽造防止判定回路を内蔵しているかどうかの情報の転送を要求する。この要求を受けて、上記各デバイスは偽造防止判定回路を内蔵しているかどうかの情報を画像データコントローラ１００に転送する。なお、画像データコントローラ１００からの要求に対して所定時間返答がないデバイスは偽造防止判定回路を内蔵していないと判定し処理するように構成してもよい。
【００５３】
ステップＳｌ１０２において、画像データコントローラ１００は収集した情報をもとに後述する図６に示すデバイス情報マップ（テーブル）を作成し、処理を終了する。なお、画像データコントローラ１００は、このテーブルを参照しながら画像データの制御を行う。
【００５４】
以上の処理により、原稿を読み取り画像信号に変換するカラースキャナで変換された画像信号をネットワーク経由でデータ転送してカラープリンタからプリント出力動作を行う画像処理システムで、予めネットワーク上に存在するカラースキャナとカラープリンタに偽造防止判定回路が内蔵されているかどうかをデータコントローラが確認することができる。
【００５５】
図６は、本発明の画像情報処理装置および画像読み取り装置および画像形成装置を適用可能な画像処理システムにおけるデバイス情報テーブルを示す図である。
【００５６】
図に示すように、デバイス情報テーブルは、各デバイスの名称と各デバイスが判定機能（偽造防止判定回路）を内蔵しているかどうかの情報から構成される。
【００５７】
なお、このデバイス情報テーブルは、図３に示したＲＡＭ３０６又はハードディスク３１２に格納されるものとする。
【００５８】
次に、図７を参照して、スキャン−プリント（スキャナにより読み取った画像を画像データコントローラ１００を介してプリンタで画像形成する複写機と同等の機能）を行う場合の制御について説明する。
【００５９】
図７は、本発明の画像情報処理装置および画像読み取り装置および画像形成装置を適用可能な画像処理システムにおける第２の制御処理手順の一例を示すフローチャートであり、スキャン−プリント（スキャナにより読み取った画像を画像データコントローラ１００を介してプリンタで画像形成する複写機と同等の機能）を行う場合、特に原稿読み取りスキャナとして判定回路（画像比較回路２０４，特定画像メモリ２０５）内蔵のスキャナ１０１を用いた場合の制御手順に対応する。なお、Ｓ４０２〜Ｓ４０８は各ステップを示す。また、ステップＳ４０１〜Ｓ４０６は、図２に示したＣＰＵ２０１がＲＯＭ２０７又は図示しないその他の記憶媒体に格納されたプログラムに基づいて実行し、ステップＳ４０１，Ｓ４０７，Ｓ４０８は、図３に示したＣＰＵ３０１がＲＯＭ３０５又はハードディスク３１２又は図示しないその他の記憶媒体に格納されたプログラムに基づいて実行し、ステップＳ４０８は、図４に示したＣＰＵ９０１がＲＯＭ９０２又は図示しないその他の記憶媒体に格納されたプログラムに基づいて実行するものとする。
【００６０】
オペレータは原稿をスキャナｌ０ｌにおいて、画像データコントローラｌ００より原稿読み取り動作を行う。ステップＳ４０１において、画像データコントローラｌ００はユーザから原稿読み取り指示（キーボード３１４又は不図示のポインティングデバイス等による指示）があったか否かを判断し、原稿読み取り指示があるまで待機し、原稿読み取り指示があったと判断された場合は、スキャナｌ０ｌは読み取り動作を指示し、ステップＳ４０２へ進んで、スキャナｌ０ｌは読み取り動作を行う。この時、画像データコントローラ１００では原稿読み取りのスキャナとして判定回路（画像比較回路２０４，特定画像メモリ２０５）を内蔵したスキャナ１０１が選択されているため、出力先は判定回路の有無に関わらずプリンタが選択される。
【００６１】
スキャナ１０１のＣＣＤ２０２で読み取られた画像データは画像補正処理回路２０３で所定の画像処理が行われて、ステップＳ４０３へ進んで、画像比較回路２０４において特定画像メモリ２０５に格納された特定画像との画像比較を行う。
【００６２】
ステップＳ４０４で、一致度が所定値より大きいか否かを判断し、一致度が所定値より大きいと判断された場合には、ステップＳ４０６ヘ進んで、スキャナ１０１は画像データコントローラ１００に対して、現在読み取り中の原稿が読み取り禁止画像であることを伝える。これを受けた画像データコントローラ１００はディスプレイ３１１に後述する図８に示す警告を表示する（Ｓ４０７）。
【００６３】
一方、ステップＳ４０４において、一致度が所定値を超えないと判断された場合は、ステップＳ４０５に進んで、スキャナ１０１は読み取られた画像データを画像データコントローラ１００ヘ転送する。なお，ここでスキャナ１０１から画像データを直接プリンタに転送するようにしてもよい。
【００６４】
画像データコントローラ１００では、前述の通りスキャナ１０１において判定済みの画像データであるため、出力先は判定回路の有無に関わらず選択されたプリンタにデータが転送され、プリンタでプリント出力される（Ｓ４０８）。
【００６５】
図８は、スキャナ１０１のＣＣＤ２０２で読み取った画像と特定画像メモリ２０５に格納された特定画像の一致度が所定値より大きい場合に画像データコントローラ１００のディスプレイ３１１に表示される警告メッセージの一例を示す模式図である。
【００６６】
次に、図９を参照して、スキャン−プリントを原稿読み取りスキャナとして判定回路が内蔵されていないスキヤナ１０３を用いて行う場合について説明する。
【００６７】
図９は、本発明の画像情報処理装置および画像読み取り装置および画像形成装置を適用可能な画像処理システムにおける第３の制御処理手順の一例を示すフローチャートであり、スキャン−プリント（スキャナにより読み取った画像を画像データコントローラ１００を介してプリンタで画像形成する複写機と同等の機能）を行う場合、特に原稿読み取りスキャナとして判定回路が内蔵されていないスキヤナ１０３を用いた場合の制御手順に対応する。なお、Ｓ６０１〜Ｓ６０７は各ステップを示す。また、ステップＳ６０２は、図２に示したＣＰＵ２０１がＲＯＭ２０７又は図示しないその他の記憶媒体に格納されたプログラムに基づいて実行し、ステップＳ６０１，Ｓ６０３，Ｓ６０７は、図３に示したＣＰＵ３０１がＲＯＭ３０５又はハードディスク３１２又は図示しないその他の記憶媒体に格納されたプログラムに基づいて実行し、ステップＳ６０４〜Ｓ６０６は、図４に示したＣＰＵ９０１がＲＯＭ９０２又は図示しないその他の記憶媒体に格納されたプログラムに基づいて実行するものとする。
【００６８】
ステップＳ６０１において、画像データコントローラｌ００はユーザから原稿読み取り指示（キーボード３１４又は不図示のポインティングデバイス等による指示）があったか否かを判断し、原稿読み取り指示があるまで待機し、原稿読み取り指示があったと判断された場合は、スキャナｌ０ｌは読み取り動作を指示し、ステップＳ６０２へ進んで、スキャナｌ０ｌは読み取り動作を行い、画像データを画像データコントローラ１００に転送する。
【００６９】
次に、画像データコントローラ１００はスキャナ１０３が判定回路を内蔵していないため、出力先は判定回路が内蔵されているプリンタを選択する必要がある。この場合にはプリンタ１０２が出力先として選択される。
【００７０】
ステップＳ６０３において、画像データコントローラ１００からプリンタ１０２ヘ画像データ転送が行われる。そして、画像データを受けたプリンタ１０２では画像ネットワーク経由でＲＡＭ９０３に一度データが格納される。
【００７１】
ステップＳ６０４で、画像比較回路９１３において、転送された画像データと特定画像メモリ９１４上のデータとの比較が行われる。
【００７２】
ステップＳ６０５で、判定結果により指定画像に対する一致度が所定値以下であると判断された場合は、ステップＳ６０６へ進んで、プリンタ１０２はプリント動作を行う。
【００７３】
一方、ステップＳ６０５で、判定結果により指定画像に対する一致度が所定値以上であると判断された場合は、ステップＳ６０７で画像データコントローラ１００に対して現在プリント指示のあった画像データがプリント禁止画像であることを伝える。これを受けた画像データコントローラ１００はディスプレイ３１１に後述する図１０に示す警告を表示する。なお、ステップＳ６０２で読みとられた画像データを画像データコントローラ１００からの指示により直接スキャナ１０３からプリンタ１０２に転送するようにしともよい。
【００７４】
図１０は、プリンタ１０２に転送された画像データと特定画像メモリ２０５に格納された特定画像の一致度が所定値より大きい場合に画像データコントローラ１００のディスプレイ３１１に表示される警告メッセージの一例を示す模式図である。
【００７５】
以上、複数のスキャナ（１０１，１０３），プリンタ（１０２，１０４），画像データコントローラ１００から構成される画像処理システムにおいて、スキャン−プリント動作を行う場合にスキャナ判定回路が内蔵されているかどうかに応じて出力先を画像データコントローラ１００が制御することにより、生産性のよい偽造抑止効果が期待できる。
【００７６】
〔第２実施形態〕
上記第１実施形態では、複数のスキャナ１０１，１０３，プリンタ１０２，１０４，画像データコントローラ１００から構成される画像処理システムにおいて、スキャン−プリント動作を行う場合にスキャナ判定回路が内蔵されているかどうかに応じて出力先を画像データコントローラ１００が制御する場合を説明したが、画像データコントローラ１００でのデータ転送制御時にディスプレイ表示切り替えについて説明する。
【００７７】
図１１は、画像データコントローラ１００のディスプレイ３１１に表示されるスキヤン−プリントジョブ選択表示画面の一例を示す模式図であり、まだスキャナおよびプリンタが選択されていない初期画面に対応する。
【００７８】
画像データコントローラ１００はネットワーク接続されているスキャナ，プリンタを確認して利用可能なデバイスとして通常、図１１のように表示する。
【００７９】
この画面上の「１０１  スキャナ」，「１０３  スキャナ」，「１０２  プリンタ」，「１０４  プリンタ」を図３に示したキーボード３１４又は不図示のポインティングデバイスで選択することにより、スキヤン−プリントジョブに使用するスキャナ，プリンタを選択することができる。
【００８０】
また、上述した判定回路の確認作業の際、第１実施形態では、各デバイスの判定回路の有無情報だけを画像データコントローラ１００が各デバイスから入手するものとして説明を行ったが、実際には各デバイスのスペック（解像度，カラーｏｒ白黒，ビット深さ，データ形式など）といった情報も合わせて入手してデバイス情報テーブルを作成するものとする。
【００８１】
また、このスキヤン−プリントジョブ選択表示画面上で、オペレータはキーボード３１４又は不図示のポインティングデバイスによりスキャナ，プリンタを選択することができる。
【００８２】
次に、図１２を参照して、オペレータによりディスプレイ３１１のスキヤン−プリントジョブ選択表示画面からスキャナ１０１を選択する場合について説明する。
【００８３】
図１２は、画像データコントローラ１００のディスプレイ３１１に表示されるスキヤン−プリントジョブ選択表示画面の一例を示す模式図であり、スキャナ１０１が選択された場合に対応する。
【００８４】
図に示すように、スキヤン−プリントジョブ選択表示画面よりスキャナ１０１が選択された場合には、画像データコントローラ１００の指示によりスキャナ１０３は画面上で斜線表示となる。
【００８５】
このとき選択されたスキャナ１０１は、デバイス情報テーブルにより判定回路（画像比較回路２０４，特定画像メモリ２０５）内蔵であることを画像データコントローラ１００が認識しているため、出力先のプリンタとしてはプリンタｌ０２，プリンタ１０４の両方のプリンタが選択可能であるように表示される。
【００８６】
図１３は、画像データコントローラ１００のディスプレイ３１１に表示されるスキヤン−プリントジョブ選択表示画面の一例を示す模式図であり、スキャナ１０３が選択された場合に対応する。
【００８７】
図に示すように、スキヤン−プリントジョブ選択表示画面よりスキャナ１０３が選択された場合には、画像データコントローラ１００の指示によりスキャナ１０１は画面上で斜線表示となり選択できない。
【００８８】
このとき選択されたスキャナ１０３は、デバイス情報テーブルにより判定回路内蔵でないことを画像データコントローラ１００が認識しているため、出力先のプリンタとしては判定回路を内蔵しているプリンタ１０２だけが選択可能であるように表示される。
【００８９】
以下、図１４のフローチャートを参照して、本発明の画像情報処理装置および画像読み取り装置および画像形成装置を適用可能な画像処理システムにおけるスキヤン−プリントジョブ選択表示制御手順について説明する。
【００９０】
図１４は、本発明の画像情報処理装置および画像読み取り装置および画像形成装置を適用可能な画像処理システムにおける第４の制御処理手順の一例を示すフローチャートであり、スキヤン−プリントジョブ選択表示制御手順に対応する。なお、Ｓ９０１〜Ｓ９０５は各ステップを示し、図３に示したＣＰＵ３０１がＲＯＭ３０５又はハードディスク３１２又は図示しないその他の記憶媒体に格納されたプログラムに基づいて実行するものとする。
【００９１】
まず、図１１に示したスキヤン−プリントジョブ選択表示画面がディスプレイ３１１に表示された状態で、ステップＳ９０１において、オペレータによりディスプレイ３１１からキーボード３１４又は不図示のポインティングデバイスによりスキャナが選択されたか否かを判断し、選択されるまで待機し、選択されたと判断された場合は、ステップＳ９０２において、選択されたスキャナ以外のスキャナを画面上で斜線表示とする。
【００９２】
ステップＳ９０３において、選択されたスキャナが判定回路内蔵であるか否かを判断し、選択されたスキャナが判定回路内蔵であると判断された場合は、ステップＳ９０４に進み、出力先のプリンタとして全てのプリンタを選択可能であるように表示する。
【００９３】
一方、ステップＳ９０３において、選択されたスキャナが判定回路内蔵でないと判断された場合は、ステップＳ９０５に進み、出力先のプリンタとして判定回路内蔵のプリンタのみを選択可能であるように表示し、判定回路内蔵でないプリンタを選択不可能であるように斜線表示する。
【００９４】
以上説明したように画像データコントローラがネットワーク接続されたスキャナ、プリンタの判定回路の有無情報に応じて入出力選択画面を切り替えることにより、有効な偽造防止判定機能を実現させるものである。
【００９５】
従って、複数のスキャナ，プリンタ，画像データコントローラから構成される画像処理システムにおいて、スキャン−プリント動作を行う場合にスキャナ判定定回路が内蔵されているかどうかに応じて出力先を画像データコントローラが制御するため、生産性のよい偽造（紙幣や有価証券などの複製禁止対象原稿の複写）抑止効果が期待できる。
【００９６】
このように、カラースキャナからの画像入力やカラープリンタヘの画像出力に対して偽造行為の抑止を行うことができ、特にネットワーク経由でカラーコピー機能を提供するような画像情報処理装置および画像読み取り装置および画像形成装置で構成される画像処理システムにおいて偽造防止機能を実現させることができる。
【００９７】
なお、本発明を適用可能な画像形成装置（プリンタ）は、電子写真方式でも、インクジェット方式、熱転写方式、昇華方式でもその他の方式であってもよい。
【００９８】
以下、図１５に示すメモリマップを参照して本発明に係る画像情報処理装置および画像読み取り装置および画像形成装置を適用可能な画像処理システムで読み出し可能なデータ処理プログラムの構成について説明する。
【００９９】
図１５は、本発明に係る画像情報処理装置および画像読み取り装置および画像形成装置を適用可能な画像処理システムで読み出し可能な各種データ処理プログラムを格納する記憶媒体のメモリマップを説明する図である。
【０１００】
なお、特に図示しないが、記憶媒体に記憶されるプログラム群を管理する情報、例えばバージョン情報，作成者等も記憶され、かつ、プログラム読み出し側のＯＳ等に依存する情報、例えばプログラムを識別表示するアイコン等も記憶される場合もある。
【０１０１】
さらに、各種プログラムに従属するデータも上記ディレクトリに管理されている。また、インストールするプログラムやデータが圧縮されている場合に、解凍するプログラム等も記憶される場合もある。
【０１０２】
本実施形態における図５，図７，図９，図１４に示す機能が外部からインストールされるプログラムによって、ホストコンピュータにより遂行されていてもよい。そして、その場合、ＣＤ−ＲＯＭやフラッシュメモリやＦＤ等の記憶媒体により、あるいはネットワークを介して外部の記憶媒体から、プログラムを含む情報群を出力装置に供給される場合でも本発明は適用されるものである。
【０１０３】
以上のように、前述した実施形態の機能を実現するソフトウエアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、本発明の目的が達成されることは言うまでもない。
【０１０４】
この場合、記憶媒体から読み出されたプログラムコード自体が本発明の新規な機能を実現することになり、そのプログラムコードを記憶した記憶媒体は本発明を構成することになる。
【０１０５】
プログラムコードを供給するための記憶媒体としては、例えば、フロッピーディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１０６】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１０７】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１０８】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウエアによって表されるプログラムを格納した記憶媒体を該システムあるいは装置に読み出すことによって、そのシステムあるいは装置が、本発明の効果を享受することが可能となる。
【０１０９】
さらに、本発明を達成するためのソフトウエアによって表されるプログラムをネットワーク上のデータベースから通信プログラムによりダウンロードして読み出すことによって、そのシステムあるいは装置が、本発明の効果を享受することが可能となる。
【０１１０】
【発明の効果】
以上説明したように、本発明によれば、画像読み取り装置から読み込んだ画像を画像形成装置で出力するスキャナ−プリント動作を行う場合に、各装置に判定手段が内蔵されているかどうかに応じて出力先を画像データコントローラが制御するため、生産性のよい偽造（紙幣や有価証券などの複製禁止対象原稿の複写）抑止効果が期待できる。
【０１１１】
また、発明によれば、画像読み取り装置から読み込んだ画像を画像形成装置で出力するスキャナ−プリント動作を行う場合に、各装置に判定手段が内蔵されているかどうかに応じてスキャナ−プリント動作における選択画面の表示状態を制御することにより、有効な偽造防止判定機能を実現させることができる。
【０１１２】
従って、ネットワークを介して接続される複数のスキャナ，複数のプリンタ，画像データコントローラから構成される画像処理システムにおいて、スキャナから読み込んだ画像をプリンタで出力するスキャン−プリント動作を行う場合に、各装置に判定回路が内蔵されているかどうかに応じて出力先を画像データコントローラが制御して、優れた偽造抑止機能を有する画像処理システムを案化に構築することができる等の効果を奏する。
【図面の簡単な説明】
【図１】本発明の画像情報処理装置および画像読み取り装置および画像形成装置を適用可能な画像処理システムの構成を説明する図である。
【図２】図１に示したスキャナの構成を説明するブロック図である。
【図３】図１に示した画像データコントローラの構成を示すブロック図である。
【図４】図１に示したプリンタの構成を示すブロック図である。
【図５】本発明の画像情報処理装置および画像読み取り装置および画像形成装置を適用可能な画像処理システムにおける第１の制御処理手順の一例を示すフローチャートである。
【図６】本発明の画像情報処理装置および画像読み取り装置および画像形成装置を適用可能な画像処理システムにおけるデバイス情報テーブルを示す図である。
【図７】本発明の画像情報処理装置および画像読み取り装置および画像形成装置を適用可能な画像処理システムにおける第２の制御処理手順の一例を示すフローチャートである。
【図８】スキャナのＣＣＤで読み取った画像と特定画像メモリに格納された特定画像の一致度が所定値より大きい場合に画像データコントローラのディスプレイに表示される警告メッセージの一例を示す模式図である。
【図９】本発明の画像情報処理装置および画像読み取り装置および画像形成装置を適用可能な画像処理システムにおける第３の制御処理手順の一例を示すフローチャートである。
【図１０】プリンタに転送された画像データと特定画像メモリに格納された特定画像の一致度が所定値より大きい場合に画像データコントローラのディスプレイに表示される警告メッセージの一例を示す模式図である。
【図１１】画像データコントローラのディスプレイに表示されるスキヤン−プリントジョブ選択表示画面の一例を示す模式図である。
【図１２】画像データコントローラのディスプレイに表示されるスキヤン−プリントジョブ選択表示画面の一例を示す模式図である。
【図１３】画像データコントローラのディスプレイに表示されるスキヤン−プリントジョブ選択表示画面の一例を示す模式図である。
【図１４】本発明の画像情報処理装置および画像読み取り装置および画像形成装置を適用可能な画像処理システムにおける第４の制御処理手順の一例を示すフローチャートである。
【図１５】本発明に係る画像情報処理装置および画像読み取り装置および画像形成装置を適用可能な画像処理システムで読み出し可能な各種データ処理プログラムを格納する記憶媒体のメモリマップを説明する図である。
【符号の説明】
１００  画像データコントローラ
１０１，１０３  スキャナ
１０２，１０４  プリンタ
２０４  画像比較回路
２０５  特定画像メモリ
３０１  ＣＰＵ
３０５  ＲＯＭ
３０６  ＲＡＭ
９１３  画像比較回路
９１４  特定画像メモリ
【図１】
0003943810.tif 000002
【図２】
0003943810.tif 000003
【図３】
0003943810.tif 000004
【図４】
0003943810.tif 000005
【図５】
0003943810.tif 000006
【図６】
0003943810.tif 000007
【図７】
0003943810.tif 000008
【図８】
0003943810.tif 000009
【図９】
0003943810.tif 000010
【図１０】
0003943810.tif 000011
【図１１】
0003943810.tif 000012
【図１２】
0003943810.tif 000013
【図１３】
0003943810.tif 000014
【図１４】
0003943810.tif 000015
【図１５】
0003943810.tif 000016